(57)【要約】【課題】ハウジングの側壁の外面とシールド板との間で適正な距離を維持するにより、端子とシールド板との間の適正な絶縁距離を維持し、良好なシールド状態を実現する電気コネクタを提供する。【解決手段】複数の端子２０と、端子２０を配列保持する直方体外形のハウジング１０と、金属板を屈曲して形成されハウジングに取り付けられるシールド板３０とを備えるコネクタ１において、シールド板３０は、端子配列方向である長手方向に延び対向するハウジング１０の二つの側壁１４のうち、一つの側壁１４の外面に沿って側壁１４の外面を長手方向全域にわたり覆うシールド部３１と、シールド部３１の両端で屈曲され、ハウジング１０の側壁１４の両端に位置する端壁１５に形成された保持部で保持される被保持部とを有しており、シールド部３１は、該シールド部３１の一部でハウジング１０の側壁１４の外面に当接可能な規制部３１Ｃを有している。【選択図】図２
2011119119.tif 000002
【特許請求の範囲】
【請求項１】
複数の端子と、該端子を配列保持する直方体外形のハウジングと、金属板を屈曲して形成され該ハウジングに取り付けられるシールド板とを備える電気コネクタにおいて、
上記シールド板は、端子配列方向である長手方向に延び対向する上記ハウジングの二つの側壁のうち、一つの側壁の外面に沿って該側壁の外面を該長手方向全域にわたり覆うシールド部と、該シールド部の両端で屈曲され、上記ハウジングの側壁の両端に位置する端壁に形成された保持部で保持される被保持部とを有しており、上記シールド部は、該シールド部の一部でハウジングの側壁の外面に当接可能な少なくとも一つの規制部を有していることを特徴とする電気コネクタ。
【請求項２】
シールド板は、ハウジングに取り付けられた状態にて、該ハウジングへの取付前の自由状態よりも、長手方向での被保持部同士間の間隔が広げられていることとする請求項１に記載の電気コネクタ。
【請求項３】
同一形状の二つのシールド板が互いに対称をなしてハウジングに取り付けられていることとする請求項１または請求項２に記載の電気コネクタ。
【請求項４】
規制部は、シールド部の長手方向中央に形成されていることとする請求項１ないし請求項３のいずれか一つに記載の電気コネクタ。
【発明の詳細な説明】
【技術分野】
【０００１】
本発明は電気コネクタに関する。
【背景技術】
【０００２】
電気コネクタのハウジングには、該ハウジングの周壁面を覆うシールド板が取り付けられることが多い。該シールド板を有する電気コネクタとして、例えば、特許文献１のような電気コネクタが知られている。
【０００３】
特許文献１の電気コネクタは、略直方体外形をなし上方から相手コネクタを受け入れるための開口部が中央に形成されたハウジングと、該ハウジングの長手方向に互いに対向して延びる二つの側壁のそれぞれに配列形成された複数の端子保持溝（端子収容キャビティ）内で保持される複数の端子と、該側壁の外面を覆う二つのシールド部材とを備えている。各シールド部材は、ハウジングの側壁の外面を覆うシールド部（本体部）と、該シールド部の両端側で屈曲されて形成された二つの被保持部とを有している。ハウジングの側壁の両端に位置する端壁には上記長手方向に対して直角に延びる保持溝が形成されており、該シールド部材は、該保持溝で被保持部が保持されることにより、該ハウジングに取り付けられている。そして、シールド部材がハウジングに取り付けられた状態において、端子とシールド部材のシールド部との間には所定の間隔が形成され、これによって絶縁距離、すなわち端子とシールド部との最短距離が確保されるようになっている。
【先行技術文献】
【特許文献】
【０００４】
【特許文献１】特開２００８−２２６４７７
【発明の概要】
【発明が解決しようとする課題】
【０００５】
上記特許文献１のようにシールド板が取り付けられる電気コネクタにおいては、適正な絶縁距離を確保すべく端子とシールド部と間に所定の距離を設けることにより、ハウジングの側壁の外面とシールド部との間に隙間が形成される場合がある。
【０００６】
上記シールド部は、細長い板状をなしているので、ハウジングの側壁の外面とシールド部との間に隙間があるとき、その中間部が、製造誤差、組立誤差あるいは不用意な外力等に起因してハウジングの側壁に向けて反るように撓み変位することがある。シールド板は、上下方向ではハウジングに対して固定した位置にあるので、絶縁距離に影響をもたらすのは、シールド部の板厚方向におけるシールド部とハウジングの側壁との間の距離の変動、すなわちシールド部の撓み変位ということになる。したがって、このシールド部の撓み変位によって、該シールド部が上記側壁に近づいて端子とシールド部との最短距離が過剰に小さくなると、適正な絶縁距離を確保できなくなる。つまり、上記絶縁距離は該側壁の外面とシールド部との距離、すなわち上記隙間の寸法によって定まる。
【０００７】
このような事情に鑑みて、本発明は、ハウジングの側壁の外面とシールド板との間で適正な距離を維持することにより、端子とシールド板との間の適正な絶縁距離を維持し、良好なシールド状態を実現する電気コネクタを提供することを目的とする。
【課題を解決するための手段】
【０００８】
本発明に係る電気コネクタは、複数の端子と、該端子を配列保持する直方体外形のハウジングと、金属板を屈曲して形成され該ハウジングに取り付けられるシールド板とを備える。
【０００９】
かかる電気コネクタにおいて、本発明では、上記シールド板は、端子配列方向である長手方向に延び対向する上記ハウジングの二つの側壁のうち、一つの側壁の外面に沿って該側壁の外面を該長手方向全域にわたり覆うシールド部と、該シールド部の両端で屈曲され、上記ハウジングの側壁の両端に位置する端壁に形成された保持部で保持される被保持部とを有しており、上記シールド部は、該シールド部の一部でハウジングの側壁の外面に当接可能な少なくとも一つの規制部を有していることを特徴としている。
【００１０】
本発明では、シールド板のシールド部は、該シールド部の一部でハウジングの側壁の外面に当接可能な少なくとも一つの規制部を有している。したがって、製造誤差、組立誤差あるいは不用意な外力等に起因してシールド部が板厚方向でハウジングの側壁に向けて変位したとき、該シールド部の規制部がハウジングの側壁の外面に当接するので、シールド部のそれ以上の撓み変位が規制される。この結果、端子とシールド部との間に所定の距離の隙間が維持され、適正な絶縁距離が確保される。
【００１１】
シールド板は、ハウジングに取り付けられた状態にて、該ハウジングへの取付前の自由状態よりも、長手方向での被保持部同士間の間隔が広げられていることが好ましい。
【００１２】
シールド板がハウジングへ取り付けられる前の自由状態において、該シールド板の被保持部がシールド部から延びる方向、換言すると、該シールド板の屈曲の角度が正確でないと、シールド板が保持部で正規の形に矯正されて保持されたとき、その矯正時の変形の影響で、適正な絶縁距離が確保できなくなるおそれがある。
【００１３】
例えば、該シールド板の屈曲角度が正規角度である９０度であるが、実際には、取付前の自由状態時の屈曲角度が９０度より大きく作られてしまった場合、すなわち両被保持部の先端に向かうにつれて両被保持部間の距離が徐々に増大する方向へ延びている場合には、被保持部をハウジングの保持溝内に挿入するために、該被保持部が本体部に対して９０度になるように、シールド板の取付時の角度を小さくする必要がある。この結果、シールド部はハウジングの側壁の外面から離れる方向に湾曲変形するので、該側壁の外面と該シールド部との間隔が広がってしまい、適正な絶縁距離を確保できなくなる。また、シールド部が上記側壁の外面から離れる方向に湾曲変形することにより、該シールド板がコネクタに隣接する他の電子機器に干渉するおそれもある。
【００１４】
本発明では、好ましくは、シールド板は、ハウジングに取り付けられた状態にて、該ハウジングへの取付前の自由状態よりも、長手方向での被保持部同士間の間隔が広げられている。このようなシールド板をハウジングに取り付けると、長手方向での被保持部同士間の間隔が広がることにより、シールド部の中間部がハウジングの側壁の外面に向けて湾曲して反るように変位する。しかし、仮に、該中間部の変位量が過大になろうとしても、シールド部の規制部が側壁の外面に当接するので、シールド部の所定量以上の変位が規制される。このように、本発明では、シールド部がハウジングの側壁の外面から離れることそして該側壁の外面に近づきすぎることがなく、該側壁の外面とシールド部との間で所定の距離が維持されるので、適正な絶縁距離が確実に確保される。また、該シールド部がハウジングの側壁の外面から離れる方向に変位することがないので、コネクタに隣接する他の電子機器に該シールド部が干渉することもない。
【００１５】
また、本発明では、同一形状の二つのシールド板が互いに対称をなしてハウジングに取り付けられていることが好ましい。このように、互いに対称をなすように二つのシールド板をハウジングに取り付けると、該ハウジングの両側壁が覆われるので、片方の側壁のみをシールド板で覆う場合と比較して、シールド効果を増大させることができる。また、上記二つのシールド板は同一形状であるので、各シールド板ごとに別個の金型を用意する必要がなくなり、シールド板の製造コストの増大を抑制することができる。
【００１６】
さらに、本発明では、規制部は、シールド部の長手方向中央に形成されていることが好ましい。シールド部の変位が最も大きい位置である長手方向中央に規制部を形成することにより、ハウジングの側壁へ向けたシールド部の所定量以上の変位を確実に規制することができる。
【発明の効果】
【００１７】
以上のように、本発明では、シールド板のシールド部がハウジングの側壁の外面に当接可能な規制部を有しているので、製造誤差、組立誤差あるいは不用意な外力に起因してハウジングの側壁に向けてシールド部が反るように変位しても、側壁の外面にシールド部の規制部が当接することにより該シールド部の所定量以上の変位が規制されるので、該側壁の外面とシールド部との間に所定の距離が維持され、適正な絶縁距離を確実に確保することができる。この結果、良好なシールド状態を実現することができる。
【図面の簡単な説明】
【００１８】
【図１】第一実施形態に係る電気コネクタを示す斜視図である。
【図２】図１の電気コネクタのII−II断面図である。
【図３】図１の電気コネクタのシールド板を示す斜視図である。
【図４】ハウジングに取り付けられる前の自由状態にあるシールド板の平面図である。
【図５】第二実施形態に係る電気コネクタの断面図である。
【図６】第三実施形態に係る電気コネクタの断面図である。
【発明を実施するための形態】
【００１９】
以下、添付図面にもとづき、本発明の実施形態を説明する。
【００２０】
＜第一実施形態＞
図１は、本実施形態に係る電気コネクタを示す斜視図である。また、図２は、図１の電気コネクタのII−II断面図であり、端子の位置での断面を示している。本実施形態に係る電気コネクタ１（以下、単に「コネクタ１」という）は、上方から相手コネクタ（図示せず）を受け入れて該相手コネクタと嵌合するコネクタである。該コネクタ１は、直方体外形をなす合成樹脂製のハウジング１０と、該ハウジング１０の長手方向で該ハウジング１０に配列保持される金属板製の複数の端子２０と、該ハウジング１０に取り付けられる金属板製の二つのシールド板３０とを有している。端子２０は二列に配列されており、両列は、図２に示されるように、同図における左右方向、すなわちハウジング１０の長手方向（図２の紙面に直角な方向）に対して直角な方向で対向している。以下、ハウジング１０の長手方向を「端子配列方向」、該端子配列方向に対して直角な方向（図２における左右方向）を「端子対向方向」という。
【００２１】
ハウジング１０は、上方に開口し相手コネクタを受け入れるための受入凹部１１を有している。該受入凹部１１は、ハウジング１０の周壁１２の内壁面、底壁１３の上面および後述の中央壁部１６の側面によって形成されている。該ハウジング１０の周壁１２は、該ハウジング１０の長手方向に延び互いに対向する二つの側壁１４と、該長手方向に直角に延び該二つの側壁１４の端部同士を連結する二つの端壁１５とから成っている。また、図１および図２に見られるように、上記底壁１３の上面からは、中央壁部１６が突出しており、図１に見られるように、該中央壁部１６は、受入凹部１１の中央で島状をなしていて、受入凹部１１に囲まれている。
【００２２】
図２に見られるように、ハウジング１０は、中央壁部１６に対して左右対称に形成されているので、ここでは、図２における左側部分について説明し、右側部分についての説明を省略する。
【００２３】
ハウジング１０には、金属板の板面を維持して作られた端子２０の後述する接触部２２および連結部２３を収容するための収容溝部１７が端子配列方向にて等間隔で形成されている。該収容溝部１７は、中央壁部１６の側面および底壁１３の上面において、端子２０の板厚とほぼ同寸法の溝幅をもって図２における左右方向および下方向に没入して形成されている。図２に示されているように、該収容溝部１７は、中央壁部１６の側面で上下方向（コネクタ嵌合方向）に延びる内側収容溝部１７Ａと、底壁１３に沿って左右方向（端子対向方向）に延びる下側収容溝部１７Ｂとが連続して形成されている。
【００２４】
ハウジング１０は、端子２０を保持するための端子保持部１４Ａが側壁１４に形成されている。図２によく見られるように、該端子保持部１４Ａは、その壁面が側壁１４の外面よりも、後述する端子２０の逆Ｕ字形状の端子被保持部２１を収める深さだけ没入した形状をなし、その没入空間を保持溝部１４Ａ−１としている。また、没入空間として形成された保持溝部１４Ａ−１は、端子２０の幅とほぼ同寸法の溝深さで形成されていて、上記端子被保持部２１を受け入れるようになっており、該端子被保持部２１が端子保持部１４Ａに保持される。
【００２５】
側壁１４の両端に位置する端壁１５は、端子対向方向に延びる主端壁１５Ａと、該端子対向方向における該主端壁１５Ａの両端から端子配列方向へ延び側壁１４へと続く副端壁１５Ｂとから成っており、二つの側壁１４の端部同士を連結している。すなわち、該端壁１５は、上方から見て略Ｕ字状をなしている。
【００２６】
該端壁１５は側壁１４よりも上下方向の寸法が大きく、該端壁１５の上面は側壁１４の上面よりも上方に位置している。上方から見て略Ｕ字状をなす端壁１５の上面には、略Ｕ字状部分の内縁部の全域にわたって、受入凹部１１へ向けて下がるように傾斜する誘込斜面１５Ｃが形成されている。該誘込斜面１５Ｃは、相手コネクタを上方から受け入れる際、該相手コネクタを受入凹部１１へ向けて案内するための斜面である。該誘込斜面１５Ｃは、端子対向方向に延びる斜面１５Ｃ−１、端子配列方向に延びる斜面１５Ｃ−２、該斜面１５Ｃ−１と斜面１５Ｃ−２とを間を連結し端子配列方向および端子対向方向に対して斜めに延びる斜面１５Ｃ−３とを有している。該斜面１５Ｃ−１は端子配列方向で、斜面１５Ｃ−２は端子対向方向で、斜面１５Ｃ−３は端子配列方向および端子対向方向で、相手コネクタを案内する。
【００２７】
図１に見られるように、主端壁１５Ａには、シールド板３０を保持するための保持部１５Ａ−１が形成されている。該保持部１５Ａ−１は、端子対向方向にて、主端壁１５Ａの中央（中点）に対して対称に形成されている。該保持部１５Ａ−１は、主端壁１５Ａの上半部にて端子配列方向に対して直角に延び上方そして端子対向方向外方へ開口するスリット状部と、該スリット状部の底部から下方へ延びる二つの孔部（図示せず）とから成っている。後述するように、該保持部１５Ａ−１は、スリット状部でシールド板３０の被保持部３２が上方から挿入されるとともに、二つの孔部で該被保持部３２の二つの圧入脚部３２Ａが上方から圧入されるようになっている。また、保持部１５Ａ−１の上縁（三辺）には、シールド板３０の被保持部３２を案内するための誘込斜面１５Ａ−２が形成されている。
【００２８】
副端壁１５Ｂは、後述するシールド板３０のグランド片３１Ａを収容するためのグランド片収容溝１５Ｂ−１が形成されている。該グランド片収容溝１５Ｂ−１は、副端壁１５Ｂの上面、斜面１５Ｃ−２、副端壁１５Ｂの内壁面にわたって延びる上記グランド片３１Ａの部分を収める深さだけ没して形成されている。該グランド収容溝１５Ｂ−１は、上記グランド片３１Ａよりも幅寸法が若干大きく形成されている。
【００２９】
端子２０は、金属板を打抜き加工し平坦な板面をそのまま維持して形成されており、図２によく見られるように、略横Ｓ字形状をなしている。該端子２０の板面は、図２において、紙面と平行である。互いに左右方向で対向する端子２０は、同一形状をなしているので、本実施形態では、図２における左側に位置する端子２０の形状について説明し、同図の右側に位置する端子２０についての説明は省略する。
【００３０】
同図における左側の端子２０は、左右方向（端子対向方向）でのコネクタ外方寄り位置にて、ハウジング１０の端子保持部１４Ａに跨って保持される逆Ｕ字形状の端子被保持部２１と、内側収容溝部１７Ａ内で該中央壁部１６との間に左右方向で若干の隙間を形成しつつ上下方向（コネクタ嵌合方向）に延びる可撓な接触部２２と、上記端子被保持部２１の二つの脚部のうち中央壁部１６に近い側に位置する脚部の下端と上記接触部２２の下端とを連結し下側収容溝部１７Ｂ内で左右方向に延びる連結部２３と、上記端子被保持部２１の二つの脚部のうち中央壁部１６から離れた側に位置する脚部の下端から端子対向方向にてコネクタ外方へ向けて延びる接続部２４とを有している。
【００３１】
上記端子被保持部２１は、中央壁部１６に近い側に位置する脚部の上端から該中央壁部１６へ向けて突出する係止部２１Ｃが形成されている。該係止部２１Ｃは、相手コネクタと嵌合した状態において、相手コネクタの端子（以下、「相手端子」という）に凹部として形成された被係止部と上下方向で係止して、相手コネクタの不用意な抜けを抑制する役割を担う。
【００３２】
上記接触部２２の下端には中央壁部１６へ向けて突出するストッパ部２２Ａが形成されている。該ストッパ部２２Ａは、コネクタ１と嵌合状態にある相手コネクタを抜出するときに、中央壁部１６に当接して、コネクタ１の端子２０が上方（コネクタ抜出方向）に浮き上がることを抑制する役割を担っている。また、該接触部２２の上端には、相手端子の対応接触部と弾性接触する接触突部２２Ｂが端子保持部１４Ａ側に向けて突出して形成されている。
【００３３】
図３は、図１のコネクタ１のシールド板３０を示す斜視図である。また、図４は、ハウジング１０に取り付けられる前の自由状態にあるシールド板３０の平面図である。以下、図１，図２とともに図３，図４をも用いてシールド板３０の構成を説明する。
【００３４】
シールド板３０は、打抜き加工された金属板を屈曲して形成される。本実施形態では、図１に見られるように、同一形状の二つのシールド板３０が端子対向方向にて互いに対称をなしてハウジング１０に取り付けられている。図１に見られるように、シールド板３０は、端子配列方向に延びハウジング１０の一つの側壁１４の外面に沿って該側壁１４の外面を該端子配列方向全域にわたって覆うシールド部３１と、該シールド部３１の両端で屈曲されハウジング１０の保持部１５Ａ−１で保持される二つの被保持部３２とを有している。該シールド部３１の長手方向の寸法Ｒ１（図４参照）は、ハウジング１０の長手方向両端部に位置する保持部１５Ａ−１同士の距離と等しくなっている。本実施形態では、二つのシールド板３０をハウジング１０に取り付けることにより、該ハウジング１０の両側壁１４がシールド部３１によって覆われるので、シールド効果を増大させることができる。
【００３５】
シールド部３１の長手方向両端部において、上縁部からグランド片３１Ａが延びている。該グランド片３１Ａは、コネクタ嵌合状態において、相手コネクタのグランド端子と接触する部分である。図３に見られるように、該グランド片３１Ａはその基部が上記上縁部で被保持部３２が延びるのと同一方向へ向けてほぼ直角に屈曲されているとともに、中間部が二箇所で屈曲されてその先端部が下方へ向いている。
【００３６】
上記グランド片３１Ａは、図１に見られるように、上述のように中間部が二箇所で屈曲しているので、ハウジング１０に取り付けられた状態において、該ハウジング１０のグランド片収容溝１５Ｂ−１に収容され、該グランド片収容溝１５Ｂ−１に沿って延びている。また、該グランド片３１Ａと該グランド片収容溝１５Ｂ−１の内壁面との間には、幅方向で若干の隙間が形成されている。該グランド片３１Ａは誘込斜面１５Ｃの斜面１５Ｃ−２から突出していないので、コネクタ１が相手コネクタを受け入れる際、該相手コネクタがグランド片３１Ａと干渉することがなく、該斜面１５Ｃ−２での該相手コネクタの案内が容易となる。
【００３７】
また、シールド部３１の長手方向両端部には、下縁部から二つのグランド脚部３１Ｂが下方へ向け延びている。該グランド脚部３１Ｂは、コネクタ１が取り付けられる回路基板（図示せず）上のグランド回路部に半田接続される部分である。該グランド脚部３１Ｂは、図１に見られるように、端子配列範囲外に位置しており、両グランド脚部３１Ｂ同士間に位置する全端子の接続部２４は、回路基板の面に平行な横方向から見たとき、シールド部３１に覆われていない。したがって、ハウジング１０にシールド板３０が取り付けられた状態においても、端子２０の接続部２４と回路基板の対応回路部との半田接続状態を外部から目視確認することができる。
【００３８】
図３に示されているように、シールド部３１の長手方向中央部には、被保持部３２が延びる側へ、すなわち図１および図２におけるハウジング１０の側壁１４に向けて突出する規制部３１Ｃが、例えばエンボス加工により形成されている。図２によく見られるように、該規制部３１Ｃは、シールド板３０がハウジング１０に取り付けられた際に、上下方向にてハウジング１０の側壁１４の範囲内に位置するように設けられている。
【００３９】
シールド板が正規状態、すなわち製造誤差や組立誤差が生じしていない状態でハウジング１０に取り付けられた当初、図２に示されているように、上記規制部３１Ｃと上記側壁１４の外面との間に隙間が形成されている。後述するように、外力等を受けてシールド部３１が側壁１４の外面に向けて撓み変位したときには、該規制部３１Ｃが該側壁１４の外面に当接して、シールド部３１のそれ以上の撓み変位を規制して、該シールド部３１が過剰変形しないようになっている。
【００４０】
シールド部３１と端子２０との最短距離、すなわち図２におけるシールド部３１の下縁と端子２０の接続部２４の左端部の上縁とを直線で結んだ距離Ｐはいわゆる絶縁距離であり、適正な絶縁距離Ｐが確保されることにより、良好なシールド状態が得られる。上記接続部２４の位置は上下方向にも左右方向にも固定的であるのに対し、上記シールド部３１の位置は上下方向のみで固定的である。したがって、適正な絶縁距離Ｐを確保するためには、シールド部３１と接続部２４の端部との左右方向での距離Ｑ１を適正値に設定する必要がある。該距離Ｑ１を適正値とすることは、シールド部３１と該側壁１４の外面との距離Ｑ２を適正値とすることに等しい。そして、該距離Ｑ２を適正値の許容範囲内で維持すべく、シールド部３１からの規制部３１Ｃの突出量、換言すれば該規制部３１Ｃの頂部から側壁１４の外面までの距離Ｑ３が設定される。このようにして、距離Ｑ３を適正値とすることで適正な絶縁距離Ｐが得られる。
【００４１】
図３に見られるように、被保持部３２は、下縁部から下方へ延びる二つの圧入脚部３２Ａを有している。該圧入脚部３２Ａは、ハウジング１０へシールド板３０が上方から取り付けられるときに、ハウジング１０の保持部１５Ａ−１内に形成された二つの孔部に圧入される部分である。
【００４２】
図４に示されているように、シールド板３０がハウジング１０に取り付けられる前、すなわち、シールド板３０が自由状態にあるとき、二つの被保持部３２同士は徐々に近づく方向へ延びている。換言すると、自由状態での屈曲角が取付時の角度（正規角度）である９０度よりも小さくなっている。すなわち、シールド部３１の長手方向での被保持部３２同士間の距離Ｒ２が、該長手方向でのシールド部３１の寸法Ｒよりも小さくなっている。既述したように、シールド部の長手方向での寸法はハウジング１０の長手方向での保持部１５Ａ−１同士の距離と等しいので、上記距離Ｒ２は、該保持部１５Ａ−１同士の距離よりも小さい。
【００４３】
このような構成のコネクタ１は以下の要領で組み立てられる。まず、ハウジング１０に端子２０を取り付ける。具体的には、端子被保持部２１の逆Ｕ字形状の部分が下方へ開放され、かつ、接続部２４の端部が端子対向方向にてコネクタ外方へ向いた姿勢を維持したまま、該端子２０を図２におけるハウジング１０の上方から該ハウジング１０の端子保持部１４Ａに取り付ける。すなわち、端子被保持部２１の二つの脚部間へ端子保持部１４Ａを挿入する。この結果、接触部２２および連結部２３が内側収容溝部１７Ａおよび下側収容溝部１７Ｂのそれぞれに収まる。そして、係止部２１Ｃおよび接触突部２２Ｂが保持溝部１４Ａ−１および内側収容溝部１７Ａのそれぞれから突出する。
【００４４】
次に、二つのシールド板３０をハウジング１０に取り付ける。具体的には、被保持部３２の圧入脚部３２Ａが下方を向いた姿勢を維持したまま、該被保持部３２をハウジング１０の保持部１５Ａ−１内に上方から挿入する。該被保持部３２の挿入は、誘込斜面１５Ａ−２によって案内された後、上記圧入脚部３２Ａがハウジング１０の上記保持部１５Ａ−１内に形成された二つの孔部に圧入されるまで行われる。ここで、端子配列方向において端子配列寄りに位置する誘込斜面１５Ａ−２を大きく形成しておくことで被保持部３２が案内され易くなるので、該被保持部３２の挿入が容易となる。
【００４５】
既述したように、自由状態にあるシールド板３０において、シールド部３１と被保持部３２とがなす屈曲角度は、ハウジング１０へのシールド板３０の取付時の角度（正規角度）よりも小さくなっているので、該シールド板３０の被保持部３２をハウジング１０の上記保持部１５Ａ−１内へ挿入する際には、被保持部３２同士の間隔が正規角度まで広げられる。したがって、シールド部３１の長手方向中間部がハウジング１０の側壁１４の外面に向けて湾曲して反るように変位する。本実施形態では、このようにシールド部３１が何らかの要因で上記側壁１４の外面に向けて変位しても、該シールド板３０の規制部３１Ｃと上記側壁１４の外面との間には、図２に示されるように必要な隙間が確保される。
【００４６】
また、シールド板３０のグランド片３１Ａは、ハウジング１０のグランド片収容溝１５Ｂ−１に収容される。このように上記シールド板３０がハウジング１０に取り付けられることにより、コネクタ１の組立が完了する。
【００４７】
本実施形態に係るコネクタ１では、上述したように、ハウジング１０の側壁１４の外面に当接可能な規制部３１Ｃをシールド板３０のシールド部３１に設けているので、製造誤差、組立誤差あるいは不用意な外力等に起因してシールド部３１がハウジング１０の側壁１４に向けて変位したとき、該シールド部３１の規制部３１Ｃがハウジング１０の側壁１４の外面に当接する。したがって、シールド部３１のそれ以上の撓み変位が規制されるので、シールド部３１と側壁１４の外面との間に必要な距離の隙間が維持され、適正な絶縁距離が確保される。この結果、良好なシールド状態が実現される。
【００４８】
また、本実施形態では、既述したように、シールド板３０の自由状態での屈曲角がハウジング１０へのシールド板の３０の取付時の角度（正規角度）よりも小さくなっているので、シールド板３０をハウジング１０に取り付けると、シールド部３１の中間部がハウジング１０の側壁１４の外面に向けて変位する。したがって、該シールド部３１が上記側壁１４の外面から離れる方向に変位することがないので、コネクタ１に隣接する他の電子機器にシールド部３１が干渉することも防止できる。
【００４９】
また、仮に、シールド部３１の変位量が過大になろうとしても、シールド部３１の規制部３１Ｃが上記側壁１４の外面に当接するので、シールド部３１の所定量以上の変位が規制される。したがって、シールド部３１が上記側壁１４の外面に近づき過ぎることが防止されるとともに、該側壁１４の外面とシールド部３１との間で所定の距離が維持されて、適正な絶縁距離が確実に確保される。
【００５０】
本実施形態では、ハウジング１０に取り付けられる二つのシールド板３０を同一形状としている。したがって、各シールド板ごとに別個の金型を用意する必要がないので、シールド板の製造コストの増大を抑制することができる。
【００５１】
本実施形態において、シールド板３０の規制部３１Ｃは、外力等を受けた際におけるシールド部３１の変位が最も大きい位置である長手方向中央に形成されているので、ハウジング１０の側壁１４へ向けたシールド部３１の所定量以上の変位を確実に規制することができる。
【００５２】
本実施形態では、自由状態においてシールド板の屈曲角が９０度よりも小さくなっていて、端子配列方向に対して直角に延びるハウジングの保持部に該シールド板の被保持部が挿入されることとしたが、該シールド板およびハウジングの保持部の形態はこれに限られず、シールド板が、ハウジングに取り付けられた状態にて、該ハウジングへの取付前の自由状態よりも、長手方向での被保持部同士間の間隔が広げられているような形態になっていればよい。
【００５３】
本実施形態では、シールド板の規制部は、シールド部に一つ形成することとしたが、該規制部を複数設けることとしてもよい。規制部を複数設けることにより、ハウジングの側壁へ向かうシールド部の過大な撓み変位を、より確実に規制することができる。
【００５４】
また、本実施形態では、シールド板がハウジングに取り付けられた状態において、シールド板の規制部は、ハウジングの側壁の外面との間で隙間が形成される程度の寸法で形成されていたが、シールド板がハウジングに取り付けられた当初の状態で、側壁の外面と当接する程度の寸法で形成されていてもよい。
【００５５】
＜第二実施形態＞
本実施形態に係るコネクタは、シールド板の規制部がシールド部の一部を折り返されて形成されている点で、規制部がシールド部の板面のエンボス加工によって形成されている第一実施形態と異なっている。本実施形態に係るコネクタの基本的な構成は第一実施形態と同じなので、ここでは、相違点である規制部を中心に説明し、第一実施形態と同一部分に同一符号を付して説明を省略する。
【００５６】
図５は、本実施形態に係るコネクタの端子位置における断面図であり、端子配列方向に直角な断面を示している。同図に示されているように、本実施形態における規制部３１Ｃ’は、シールド板３０のシールド部３１の長手方向中央部の上縁に設けられた突片を端子２０側へ向けて下方へ折り返して形成されている。
【００５７】
図５に見られるように、規制部３１Ｃ’は、その板面でハウジング１０の側壁１４の外面に当接している。そして、上記規制部３１Ｃ’以外の部分では、シールド部３１と上記側壁１４の外面との間に規制部３１Ｃ’の板厚分だけ隙間が形成されている。本実施形態では、製造誤差、組立誤差、あるいは不用意な外力に起因して、上記側壁１４へ向けた撓み変位をもたらす力がシールド部３１に作用しても、規制部３１Ｃ’が該側壁１４の外面に当接していることにより、該シールド部３１の撓み変位が規制される。この結果、シールド部３１と側壁１４の外面との間の隙間が維持され、適正な絶縁距離が確保される。
【００５８】
本実施形態では、シールド板がハウジングに取り付けられた当初の状態において、規制部がハウジングの側壁の外面に当接していることとしたが、これに代えて、該規制部と上記側壁の外面との間に隙間が形成されるようにしてもよい。
【００５９】
＜第三実施形態＞
本実施形態に係るコネクタは、シールド板の規制部がシールド部の一部を直角に屈曲して形成されている点で、規制部がシールド部の板面のエンボス加工によって形成されている第一実施形態と異なっている。本実施形態に係るコネクタの基本的な構成は第一実施形態と同じなので、ここでは、相違点である規制部を中心に説明し、第一実施形態と同一部分に同一符号を付して説明を省略する。
【００６０】
図６は、本実施形態に係るコネクタの端子位置における断面図であり、端子配列方向に直角な断面を示している。同図に示されているように、本実施形態における規制部３１Ｃ”は、シールド板３０のシールド部３１の長手方向中央部に設けられた切込部分の切起こしにより突部を端子２０側へ向けて直角に屈曲して形成されている。
【００６１】
図６に見られるように、規制部３１Ｃ”は、先端面でハウジング１０の側壁１４の外面に当接している。そして、上記規制部３１Ｃ”以外の部分では、シールド部３１と上記側壁１４の外面との間に規制部３１Ｃ”の長さ寸法に相当する隙間が形成されている。本実施形態では、製造誤差、組立誤差、あるいは不用意な外力に起因して、上記側壁１４へ向けた撓み変位をもたらす力がシールド部３１に作用しても、規制部３１Ｃ”が該側壁１４の外面に当接していることにより、該シールド部３１の撓み変位が規制される。この結果、シールド部３１と側壁１４の外面との間の隙間が維持され、適正な絶縁距離が確保される。
【００６２】
本実施形態では、シールド板がハウジングに取り付けられた当初の状態において、規制部がハウジングの側壁の外面に当接していることとしたが、これに代えて、該規制部と上記側壁の外面との間に隙間が形成されるようにしてもよい。
【符号の説明】
【００６３】
１  コネクタ                            ２０  端子
１０  ハウジング                        ３０  シールド板
１４  側壁                              ３１  シールド部
１５  端壁                              ３１Ｃ  規制部
１５Ａ−１  保持部                      ３２  被保持部
【図１】
2011119119.tif 000003
【図２】
2011119119.tif 000004
【図３】
2011119119.tif 000005
【図４】
2011119119.tif 000006
【図５】
2011119119.tif 000007
【図６】
2011119119.tif 000008